(57)【特許請求の範囲】
【請求項１】
殺菌原液の組成分及びその重量パーセンテージが、
溶解ブドウ球菌酵素  ０．００１−１％
溶解菌酵素              ０．１−２０％
タンパク質安定剤        ０．２−５０％
イオン化合物            ０．５−１０％
水                      他
からなり、
前記タンパク質安定剤は、キトサン、ポリエチレングリコール４００、ポリエチレングリコール１０００、ポリエチレングリコール４０００或いはポリエチレングリコール６０００の中の一種或いは二種以上であり、
前記イオン化合物は塩化ナトリウム、塩化カリウム、リン酸カリウム或いはリン酸ナトリウムの中の一種或いは二種以上であり、
竹繊維ガーゼが前記殺菌原液を含有していることを特徴とする殺菌竹繊維ガーゼ。
【請求項２】
前記殺菌原液の組成分及び重量パーセンテージが、
溶解ブドウ球菌酵素  ０．０１−０．１％
溶解菌酵素                ２−１０％
タンパク質安定剤          ５−４０％
イオン化合物              ０．５−１％
水                        他
からなり、竹繊維ガーゼが前記殺菌原液を含有をしていることを特徴とする請求項１に記載の殺菌竹繊維ガーゼ。
【請求項３】
前記殺菌原液を４枚あわせの竹繊維ガーゼ１００ｃｍ２当たり１−１０ｍｌ含有していることを特徴とする請求項１または２に記載の殺菌竹繊維ガーゼ。
【請求項４】
前記殺菌原液を４枚あわせの竹繊維ガーゼ１００ｃｍ２当たり４−６ｍｌ含有していることを特徴とする請求項３に記載の殺菌竹繊維ガーゼ。
【請求項５】
創傷面傷当て材として用いられることを特徴とする請求項１〜４の何れか１項に記載の殺菌竹繊維ガーゼ。
【請求項６】
前記殺菌竹繊維ガーゼは織物、編物または不織布からなり、ベビー用或いは大人用紙オムツ、ナプキン或いはマスクとして用いられることを特徴とする請求項１〜４の何れか１項に記載の殺菌竹繊維ガーゼ。
【発明の詳細な説明】
【技術分野】
【０００１】
本発明は竹繊維を原料として作られたガーゼ（すなわち、竹繊維ガーゼ）に関するものであり、具体的には、殺菌溶解液を含有する殺菌性を有する竹繊維ガーゼに関するものである。
【背景技術】
【０００２】
現在、臨床上皮膚科、外科、救急診療室等でよく使われているガーゼとしては一般的に以下のものがある。
（１）普通の医薬用滅菌ガーゼ。しかし、そのもの自体には抗菌性がなく抗癒着性もない。
（２）竹繊維を原料として作られた抗癒着性ガーゼ。傷口の癒着が防止できるが、あらゆる細菌に対し殺菌作用がある訳ではない。（特許文献１（ＣＮ  １４６１８２７Ａ『天然抗菌材料及びその用途』）、特許文献２（特開２００３−３１０７２１号公報『竹繊維製抗菌性布帛』）参照。）
（３）従来の抗菌性ガーゼ。このものは抗菌物質を含有しているため、殺菌効果があり、傷口の治療または創傷面の感染防止ができるが、傷口または創傷面の抗癒着性の問題は解決できない。（特許文献３（ＣＮ  １３６０９４９Ａ）『溶解ブドウ球菌複合酵素殺菌ガーゼ』）参照。）この殺菌ガーゼは非常に優れた殺菌効果があるが、創傷面での癒着問題があるので、患者に苦痛をもたらす可能性がある。
【先行技術文献】
【特許文献】
【０００３】
【特許文献１】ＣＮ  １４６１８２７Ａ
【特許文献２】特開２００３−３１０７２１号公報
【特許文献３】ＣＮ  １３６０９４９Ａ
【発明の開示】
【発明が解決しようとする課題】
【０００４】
本発明は、殺菌竹繊維ガーゼ及びその製造方法と応用を提供して、従来の殺菌ガーゼに付随していた創傷面での癒着問題を解決することを技術的課題とする。
【課題を解決するための手段】
【０００５】
本発明は、殺菌原液の組成分及びその重量パーセンテージが、
溶解ブドウ球菌酵素  ０．００１−１％
溶解菌酵素              ０．１−２０％
タンパク質安定剤        ０．２−５０％
イオン化合物            ０．５−１０％
水                      他
からなり、
前記タンパク質安定剤は、キトサン、ポリエチレングリコール４００、ポリエチレングリコール１０００、ポリエチレングリコール４０００或いはポリエチレングリコール６０００の中の一種或いは二種以上であり、
前記イオン化合物は塩化ナトリウム、塩化カリウム、リン酸カリウム或いはリン酸ナトリウムの中の一種或いは二種以上であり、
竹繊維ガーゼが前記殺菌原液を含有していることを特徴とする殺菌竹繊維ガーゼにより上述の課題を達成する。
【発明の効果】
【０００６】
本発明に係る殺菌竹繊維ガーゼによれば、創傷面での抗癒着性を発現し、患者には癒着による苦痛を与えず、創傷面の治癒時間の大幅短縮ができる。
【発明を実施するための最良の形態】
【０００７】
本発明における殺菌原液の最適な浸し量は、４枚あわせ竹繊維ガーゼ１００ｃｍ２当たり４−６ｍｌである。
本発明における殺菌原液の組成分及び重量パーセンテージは以下の通りである。
溶解ブドウ球菌酵素  ０．００１−１％
溶解菌酵素              ０．１−２０％
タンパク質安定剤        ０．２−５０％
イオン化合物            ０．５−１０％
水                      他。
より好ましくは、本発明の殺菌原液の組成分及び重量パーセンテージは以下の通りである。
溶解ブドウ球菌酵素  ０．０１−０．１％
溶解菌酵素                ２−１０％
タンパク質安定剤          ５−４０％
イオン化合物              ０．５−１％
水                        他。
上記タンパク質安定剤は、キトサン、ポリエチレングリコール４００、ポリエチレングリコール１０００、ポリエチレングリコール４０００或いはポリエチレングリコール６０００の中の一種或いは二種以上である。
また、上記イオン化合物は、塩化ナトリウム、塩化カリウム、リン酸カリウム或いはリン酸ナトリウムの中の一種或いは二種以上である。
【０００８】
本発明の殺菌竹繊維ガーゼの製造に際しては、竹繊維ガーゼを上記殺菌原液の中に浸す。４枚あわせの竹繊維ガーゼ１００ｃｍ２当たり１−１０ｍｌの殺菌原液を含有させる。
【０００９】
本発明の殺菌竹繊維ガーゼは、創傷面傷当て材、またはベビー用または大人用紙オムツ、ナプキン、マスクなどの衛生材料全般に活用できるものであり、竹繊維ガーゼは織物、編物、不織布として作ることができる。
【００１０】
本発明に使用される竹繊維ガーゼは、日本の株式会社ナファ生活研究所または中国上海天竹紡績繊維有限公司が生産する竹繊維ガーゼによるものである。
【００１１】
本発明に使用される溶解ブドウ球菌酵素は、中国上海高科生物工程有限公司が生産したものまたは米国ＳＩＧＭＡ社から購入する溶解ブドウ球菌酵素によるものである。
【００１２】
本発明による殺菌竹繊維ガーゼには非常に優れた殺菌効果を持っており、体外でよく見かける細菌菌株を使って５分間の実験をした（実験方法は２００２年第四版《消毒技術規範》を参照）、実験結果は以下の通りである。
【表１】
0004679854.tif 000002
【００１３】
そのほか臨床で採集した２種類の良く見かける耐薬性菌菌株（黄色ブドウ球菌と緑膿菌）を使って上述と同じように５分間の殺菌実験を行い、殺菌率はそれぞれ９９．９５％と９９．９６％であった。
また、中国上海長海医院やけど科で２０例の創傷面細菌感染の患者に対して、臨床テストを行い、殺菌竹繊維ガーゼが創傷面感染菌に対する殺菌効果と殺菌竹繊維ガーゼが創傷面傷口に対する癒着性を観察した、結果は以下の通りである。
やけど創傷面に多く存在する菌株はメチシリン耐性黄色ブドウ球菌（ＭＲＳＡ）、緑膿菌、肺炎桿菌、アシネトバクター菌、Ｃｉｔｒｏ  Ｂａｃｔｅｒ菌とカンジタ菌であり、普通の医薬用ガーゼに５％のＳｕｌｆａｍｙｌｏｎ溶解液に浸して対照テストとし、実験前とガーゼを使用後７２時間後創傷面にてサンプルを採集して、細菌を培養し、実験前後の殺菌率を比較し、結果は以下の通りである。
【表２】
0004679854.tif 000003
上記の結果から判るように、本発明の殺菌竹繊維ガーゼは従来のやけど科で使われているＳｕｌｆａｍｙｌｏｎガーゼより優れた殺菌効果をもっている。
【００１４】
図１および図２に示すように、竹繊維と綿繊維とでは構造上異なっている。綿繊維は中空状であるのに対し、図２に示すように、竹繊維は表面は溝状であり、竹繊維の表面には多数の凹凸がある。綿繊維はその中空部分で水分を吸収するのに対し、竹繊維は表面の溝の部分で水分を吸収すると同時に、竹繊維表面の凹凸が皮膚とガーゼの間の『クッション材』となる。したがって、竹繊維は傷口に対して抗癒着の働きがあり、本発明の殺菌竹繊維ガーゼはガーゼを取り替える際の患者の苦痛を和らげる効果があり、傷口の回復にも有利である。
本発明者は、普通の医薬用綿ガーゼと本発明の殺菌竹繊維ガーゼとを使って、創傷面に対する癒着性の比較臨床テストを行った。
普通の医薬用綿ガーゼを創傷面に使っている場合には、ガーゼを取り替える際に患者に苦痛を与え、治りかけの傷口またはその一部は再び開き、傷口の治癒には本来の治癒以上の時間を要した。
これに対して、本発明の殺菌竹繊維ガーゼは竹繊維の特殊性能により、ガーゼは創傷面と癒着せず、患者には苦痛を与えることなく、創傷面の治癒時間の大幅短縮ができる。
臨床観察の中で、いかなる不良反応もなかったことから、本発明の殺菌竹繊維ガーゼは治療の効果が良く、患者に対し刺激性等の毒性副作用がなく、臨床で幅広く応用できることが立証された。以下はその実施例である。
【００１５】
実施例１
溶解ブドウ球菌酵素  ０．００１グラム
溶解菌酵素                  ３グラム
キトサン                  １０グラム
塩化ナトリウム          ０．９グラム
水                      他。
１００ｍｌの殺菌原液を作り、１４ｃｍ×７ｃｍの４枚あわせの竹繊維ガーゼを５ｍｌの殺菌原液の中に浸し、これを皮膚科、外科、産婦人科等身体表面の創傷面の診療科で、創傷面の細菌と真菌の感染の予防または治療に使った。創傷面の治癒を促進し、治療時間を短縮する効果が認められた。
【００１６】
実施例２
溶解ブドウ球菌酵素          ０．１グラム
溶解菌酵素                    １０グラム
キトサン                        ５グラム
ポリエチレングリコール１０００  ２グラム
塩化カリウム                    １グラム
水                              他。
１００ｍｌの殺菌原液を作り、１４ｃｍ×７ｃｍの４枚あわせの竹繊維ガーゼを２ｍｌの殺菌原液の中に浸し、これをベビー及び大人用紙オムツの中に使った。幼児や介護老人の細菌と真菌の感染の予防ができる効果が認められた。
【００１７】
実施例３
溶解ブドウ球菌酵素          ０．０１グラム
溶解菌酵素                        ８グラム
ポリエチレングリコール１０００    ６グラム
リン酸カリウム                ０．７グラム
水                            他
１００ｍｌの殺菌原液を作り、１４ｃｍ×７ｃｍの４枚あわせの竹繊維ガーゼを４ｍｌの殺菌原液の中に浸し、これを女性用ナプキンの中に使った。膣感染の予防ができる効果が認められた。
【図面の簡単な説明】
【００１８】
【図１】綿繊維の顕微鏡写真である。
【図２】竹繊維の顕微鏡写真である。
【図１】
0004679854.tif 000004
【図２】
0004679854.tif 000005